(57)【要約】【目的】フォルダ内に格納されている画像ファイルによって表される画像が分かるようにする。【構成】フォルダＦに格納されている画像ファイルを用いてフォルダ・アイコン用画像ｉ１からｉ４が生成される。生成されたフォルダ・アイコン用画像ｉ１からｉ４が順に一定時間周期でフォルダ・アイコンＦ上に表示される（スライド・ショー）。フォルダＦを開くことなく格納されている画像ファイルによって表される画像が分かる。【選択図】  図４
2007035046.tif 000002
【特許請求の範囲】
【請求項１】
フォルダ内に格納されている複数の画像ファイルによって表される複数駒の原画像の原画像データから，上記フォルダのアイコンに表示される大きさをもち，かつ上記複数駒の原画像にそれぞれ対応する複数駒のアイコン用画像のアイコン用画像データを生成するアイコン用画像データ生成手段，
上記アイコン用画像データ生成手段によって生成されたアイコン用画像データによって表される複数駒のアイコン用画像が上記フォルダのアイコン上に順に表示されるように表示装置を制御する表示制御手段，および
上記フォルダのアイコンがポインタによって指定されたことに応じて，上記表示制御手段の制御により行なわれているアイコン用画像を上記フォルダのアイコン上に順に表示する処理を停止し，かつポインタによって指定された時点において上記フォルダのアイコンに表示されていたアイコン用画像に対応する原画像を表示する制御手段，
を備えたフォルダ・アイコン表示制御装置。
【請求項２】
ポインタが，ポインタによって指定された上記フォルダのアイコンから離れることに応じてアイコン用画像を上記フォルダのアイコン上に順に表示する処理を再び開始するように上記表示制御手段を制御する手段をさらに備えた請求項１に記載のフォルダ・アイコン表示制御装置。
【請求項３】
上記制御手段は，上記フォルダのアイコン上にポインタが置かれたことに応じて，上記表示制御手段の制御により行なわれているアイコン用画像を上記フォルダのアイコン上に順に表示する処理を停止し，かつポインタが置かれた時点において上記フォルダのアイコンに表示されていたアイコン用画像に対応する原画像を表示するものである，請求項１に記載のフォルダ・アイコン表示制御装置。
【請求項４】
アイコン用画像データ生成手段が，フォルダ内に格納されている複数の画像ファイルによって表される複数駒の原画像の原画像データから，上記フォルダのアイコンに表示される大きさをもち，かつ上記複数駒の原画像にそれぞれ対応する複数駒のアイコン用画像のアイコン用画像データを生成し，
表示制御手段が，上記アイコン用画像データ生成手段によって生成されたアイコン用画像データによって表される複数駒のアイコン用画像が上記フォルダのアイコン上に順に表示されるように表示装置を制御し，
制御手段が，上記フォルダのアイコンがポインタによって指定されたことに応じて，上記表示制御手段の制御により行なわれているアイコン用画像を上記フォルダのアイコン上に順に表示する処理を停止し，かつポインタによって指定された時点において上記フォルダのアイコンに表示されていたアイコン用画像に対応する原画像を表示する，
フォルダ・アイコン表示制御装置の制御方法。
【請求項５】
フォルダ内に格納されている複数の画像ファイルによって表される複数駒の原画像の原画像データから，上記フォルダのアイコンに表示される大きさをもち，かつ上記複数駒の原画像にそれぞれ対応する複数駒のアイコン用画像のアイコン用画像データを生成する手順，
生成されたアイコン用画像データによって表される複数駒のアイコン用画像が上記フォルダのアイコン上に順に表示されるように表示装置を制御する手順，
上記フォルダのアイコンがポインタによって指定されたことに応じて，アイコン用画像を上記フォルダのアイコン上に順に表示する処理を停止し，かつポインタによって指定された時点において上記フォルダのアイコンに表示されていたアイコン用画像に対応する原画像を表示する手順を実行するようにフォルダ・アイコン表示制御装置を制御するプログラム。
【発明の詳細な説明】
【技術分野】
【０００１】
この発明は，フォルダのアイコン表示を制御する装置およびその制御方法に関する。
【背景技術】
【０００２】
パーソナル・コンピュータに接続された表示装置の表示画面上には，パーソナル・コンピュータのハードディスクに格納されている，ソフトウエア，ファイルなどを特定するためにアイコンと呼ばれる図形が表示される。画像ファイルが格納されているフォルダがある場合には，そのフォルダのアイコンが表示される。フォルダ・アイコンがクリックされることにより，フォルダが開き，フォルダ内に格納されている画像ファイルのアイコンが表示される。表示された画像ファイルのアイコンがクリックされることにより，そのクリックされた画像ファイル・アイコンによって特定される画像ファイルが開く。開かれた画像ファイルによって表される画像が表示される。
【０００３】
このように，フォルダ内に画像ファイルが格納されているときは，フォルダを開き，かつ画像ファイルを開かなければ画像ファイルによって表される画像を見ることができないことが多い。
【発明の開示】
【０００４】
この発明は，フォルダを開くことなく，フォルダ内に格納されている複数駒分の画像ファイルによって表される複数駒の画像の内容を把握できるようにすることを目的とする。
【０００５】
この発明によるフォルダ・アイコン表示制御装置は，フォルダ内に格納されている複数の画像ファイルによって表される複数駒の原画像の原画像データから，上記フォルダのアイコンに表示される大きさをもち，かつ上記複数駒の原画像にそれぞれ対応する複数駒のアイコン用画像のアイコン用画像データを生成するアイコン用画像データ生成手段，上記アイコン用画像データ生成手段によって生成されたアイコン用画像データによって表される複数駒のアイコン用画像が上記フォルダのアイコン上に順に表示されるように表示装置を制御する表示制御手段，および上記フォルダのアイコンがポインタによって指定されたことに応じて，上記表示制御手段の制御により行なわれているアイコン用画像を上記フォルダのアイコン上に順に表示する処理を停止し，かつポインタによって指定された時点において上記フォルダのアイコンに表示されていたアイコン用画像に対応する原画像を表示する制御手段を備えていることを特徴とする。
【０００６】
この発明は，上記フォルダ・アイコン表示制御装置に適した制御方法も提供している。すなわち，この方法は，アイコン用画像データ生成手段が，フォルダ内に格納されている複数の画像ファイルによって表される複数駒の原画像の原画像データから，上記フォルダのアイコンに表示される大きさをもち，かつ上記複数駒の原画像にそれぞれ対応する複数駒のアイコン用画像のアイコン用画像データを生成し，表示制御手段が，上記アイコン用画像データ生成手段によって生成されたアイコン用画像データによって表される複数駒のアイコン用画像が上記フォルダのアイコン上に順に表示されるように表示装置を制御し，制御手段が，上記フォルダのアイコンがポインタによって指定されたことに応じて，上記表示制御手段の制御により行なわれているアイコン用画像を上記フォルダのアイコン上に順に表示する処理を停止し，かつポインタによって指定された時点において上記フォルダのアイコンに表示されていたアイコン用画像に対応する原画像を表示するものである。
【０００７】
また，この発明は，上記方法を実施するためのプログラムも提供している。さらに，そのプログラムを格納した記録媒体を提供してもよい。
【０００８】
この発明によると，フォルダのアイコンに表示される大きさをもち，かつ複数駒の原画像にそれぞれ対応する複数駒のアイコン用画像を表すアイコン用画像データが生成される。生成されたアイコン用画像データによって表される複数駒のアイコン用画像が，フォルダのアイコン上に表示される。フォルダのアイコン上に，そのフォルダのアイコンによって特定されるフォルダ無いに格納されている画像ファイルによって表される原画像に対応するアイコン用画像が順に表示されるので，そのアイコン用画像を見ることによりフォルダ内に格納されている画像ファイルの内容が分かる。
【０００９】
たとえば，対応する原画像の撮影日時，画像ファイルのファイル名，ランダムなどの順にしたがってアイコン用画像がフォルダのアイコン上に表示される。
【００１０】
とくにこの発明によると，フォルダのアイコンがポインタによって指定されると，アイコン用画像をフォルダのアイコン上に順に表示する処理が停止させられ，ポインタによって指定された時点においてフォルダのアイコン上に表示されていたアイコン用画像に対応する原画像が表示される。ポインタを操作するだけで，アイコン用画像の順表示の停止制御および原画像の表示制御を行うことができる。
【００１１】
ポインタが，ポインタによって指定された上記フォルダのアイコンから離れることに応じてアイコン用画像を上記フォルダのアイコン上に順に表示する処理を再び開始するように上記表示制御手段を制御する手段をさらに備えるようにしてもよい。
【００１２】
また，制御手段は，上記フォルダのアイコン上にポインタが置かれたことに応じて上記表示制御手段の制御により行われているアイコン用画像を上記フォルダのアイコン上に順に表示する処理を停止し，かつポインタが置かれた時点において上記フォルダのアイコンに表示されているアイコン用画像に対応する原画像を表示するようにしてもよい。
【００１３】
上記原画像の表示回数を計数する計数手段をさらに備えてもよい。この場合，上記第１の表示制御手段は，上記計数手段の計数値にもとづいて，上記アイコン用画像の表示順を決定できる。
【００１４】
表示回数の多い順にフォルダ・アイコン上に表示されるので，所望の画像を表す画像ファイルがそのフォルダ・アイコンによって特定されるフォルダ内に格納されていることがすぐに分かる。
【００１５】
また，上記計数値を表示するようにしてもよい。この計数値は，アイコン用画像に対応して表示するようにしてもよいし，上述のように表示される原画像に対応して表示するようにしてもよい。
【実施例】
【００１６】
図１は，この発明の実施例を示すもので，コンピュータ装置の電気的構成を示すブロック図である。
【００１７】
コンピュータ装置は，コンピュータ３を含む。コンピュータ３には，表示装置１，プリンタ２およびキーボード５が接続されている。マウス６は，キーボード５を介してコンピュータ３と接続されている。コンピュータ３には，ＦＤ（フロッピィ・ディスク）ドライブ７，CD-ROM（コンパクト・ディスク−リード・オンリ・メモリ）ドライブ８およびＨＤユニット９が接続されている。ＦＤドライブ７は，ＦＤ（図示略）へのデータの書き込みおよびＦＤからのデータの読み出しを行う。CD-ROMドライブ８は，CD-ROM11からのデータ，プログラム等の読み出しを行う。ＨＤユニット16は，ハードディスク10へのデータ（ファイル）の書き込みおよびハードディスク10からのデータの読み出しを行う。コンピュータ３には，内部メモリ４が含まれている。
【００１８】
CD-ROM11に格納されているプログラムがCD-ROMドライブ８によって読み出されることにより，後述する動作が実行される。
【００１９】
図２は，ハードディスク10の階層ディレクトリ構成の一部を示している。
【００２０】
この実施例においては，ハードディスク10には，「デスクトップ」というディレクトリの下の階層に「車」，「動物」，「スポーツ」，「結婚式」などのフォルダ名をもつフォルダが格納されている。これらのフォルダのそれぞれに静止画像ファイル（動画ファイル，音声ファイルが含まれていてもよい）が格納されている。たとえば，「車」のフォルダ名をもつフォルダにはIMG00001.JPGからIMG00003.JPGのファイル名をもつ画像ファイルが格納されている。同様に，「結婚式」のフォルダ名をもつフォルダには，IMG00355.JPGからIMG00358.JPGのファイル名をもつ画像ファイルが格納されている。そのほかのフォルダ名をもつフォルダについても同様に画像ファイルが格納されている。
【００２１】
図２においては，画像ファイルが得られたときの日時（撮影日時）も示されている。これらの撮影日時を示すデータは，画像ファイルのヘッダ領域に記録されている。
【００２２】
図３は，フォルダに格納されている画像ファイルによって表される画像を示している。
【００２３】
上述したように，「結婚式」のフォルダ名を持つフォルダ（フォルダ・アイコン）Ｆには上述したように，IMG00355.JPGからIMG00358.JPGのファイル名をもつ静止画像ファイルが格納されている。IMG00355.JPGからIMG00358.JPGのファイル名をもつ静止画像ファイルによって表される静止画像（原画像）Ｉ１からＩ４が表示される。
【００２４】
図４は，フォルダ・アイコンに表示される画像がスライド・ショーされる様子を示している。
【００２５】
この実施例においては，フォルダに格納されている複数の画像ファイルによって表される複数駒の画像から，フォルダ・アイコンの大きさにあった複数駒のフォルダ・アイコン用画像が生成される。生成されたフォルダ・アイコン用画像が，一定周期で対応する画像の撮影日時順でフォルダ・アイコンＦ上に表示される。
【００２６】
「結婚式」のフォルダ名をもつフォルダを特定するフォルダ・アイコンＦであれば，フォルダ・アイコンＦ上には最初に，「結婚式」のフォルダ名をもつフォルダ内に格納されている静止画像ファイルのうち最初の撮影日時の静止画像Ｉ１に対応するフォルダ・アイコン用画像ｉ１（静止画像Ｉ１の縮小画像）が表示される。一定時間が経過すると，次の撮影日時の静止画像Ｉ２に対応するフォルダ・アイコン用画像ｉ２がフォルダ・アイコンＦ上に表示される。さらに，一定時間が経過することにより，静止画像Ｉ３に対応するフォルダ・アイコン用画像ｉ３フォルダ・アイコンＦ上に表示され，その後静止画像Ｉ４に対応するフォルダ・アイコン用画像ｉ４がフォルダ・アイコンＦ上に表示される。このように，フォルダ・アイコンＦ上にフォルダ・アイコン用画像ｉ１からｉ４が順に一定時間ごとに表示されていく（スライド・ショー）。フォルダ・アイコン用画像は間引き処理などによりコンピュータ１によって生成されるのはいうまでもない。
【００２７】
図５は，スライド・ショーの処理手順を示すフローチャート，図６は，表示装置１の表示画面上に表示されるウインドウＷ１の一例である。
【００２８】
上述したように，スライド・ショーの動作プログラムが格納されているCD-ROM11がCD-ROMドライブ８に装填され，動作プログラムがコンピュータ装置にインストールされる。ユーザによってスライド・ショー・ソフトウエアの起動指令が与えられ，スライド・ショー・ソフトウエアが起動する（ステップ21）。
【００２９】
つづいて，開始すべきディレクトリの下の階層にあるフォルダが見つけられる（ステップ22）。たとえば開始すべきディレクトリが図２に示す「デスクトップ」であれば，その下にある「車」，「動物」，「スポーツ」および「結婚式」のフォルダ名をそれぞれもつフォルダが見つけられる。見つけられたすべてのフォルダについて以下の処理が実行される。
【００３０】
つづいて，ハードディスク10に格納されているすべてのフォルダについてそれぞれのフォルダ内に格納されている静止画像ファイルが検索により見つけられる（ステップ23）。また，静止画像ファイルに格納されている撮影日時を表すデータが検索により見つけられる（ステップ24）。見つけられた撮影日時順に，画像ファイルがフォルダごとにソーティングされる（ステップ25）。つづいて，上述したように見つけられた静止画像ファイルからフォルダ・アイコン用画像を表す画像データが生成される（ステップ26）。
【００３１】
すると，表示装置１の表示画面上には図６に示すウインドウＷ１が現れる。ウインドウＷ１内には，フォルダ・アイコンＦ１，Ｆ２，Ｆ３およびＦ４が表示されている。これらのフォルダ・アイコンＦ１，Ｆ２，Ｆ３およびＦ４上に，生成されたフォルダ・アイコン用画像データによって表されるフォルダ・アイコン用画像を用いて，図４を参照して説明したように，スライド・ショーが行われる。すなわち，フォルダ・アイコンＦ１によって特定されるフォルダ内に格納されている静止画像ファイルから生成されるフォルダ用アイコン画像を用いてフォルダ・アイコンＦ１上にスライド・ショーが行われる。同様に，フォルダ・アイコンＦ２，Ｆ３およびＦ４によってそれぞれ特定されるフォルダ内に格納されている静止画像ファイルから生成されるフォルダ用アイコン画像がフォルダ・アイコンＦ２，Ｆ３およびＦ４上に表示されることとなる（ステップ27）。
【００３２】
ユーザからの停止指令があるまで，フォルダ・アイコン用画像のスライド・ショーが繰り返される（ステップ28）。
【００３３】
上述した実施例においては，ウインドウＷ１内にフォルダ・アイコンが表示されているが単に表示装置１の表示画面上に表示されるようにしてもよい。
【００３４】
図７および図８は，変形例を示すものである。図７は，スライド・ショーの処理手順の一部を示すフローチャートである。図７において，図５に示す処理と同一の処理については同一符号を付して説明を省略する。図８は，表示装置１の表示画面に表示されるウインドウの一例である。
【００３５】
図７を参照して，この変形例はウインドウＷ２内に小ウインドウＷ11と小ウインドウＷ12とが含まれている。小ウインドウＷ11は，上述したようにフォルダ・アイコンを表示するウインドウであり，小ウインドウＷ12は，フォルダ・アイコン用画像を生成するのに用いた元の静止画像を表示するウインドウである。静止画像が表示されるので画像の詳細が分かる。
【００３６】
上述のようにウインドウＷ11内に表示されているフォルダ・アイコンＦ１，Ｆ２，Ｆ３およびＦ４上においてフォルダ・アイコン用画像を用いたスライド・ショーが行われている（ステップ27）。
【００３７】
フォルダ・アイコンＦ１，Ｆ２，Ｆ３およびＦ４のうちいずれかのフォルダ・アイコンがポインタＰによって指定される（ステップ31）。ポインタＰは，マウス６を用いてユーザによって操作されよう。ポインタＰによって指定されたフォルダ・アイコン（フォルダ・アイコンＦ４が指定されたものとする。）において行われていたフォルダ・アイコン用画像のスライド・ショーが停止される（ステップ32）。
【００３８】
ポインタＰが指定された時点においてフォルダ・アイコンＦ４に表示されていたフォルダ・アイコン用画像（フォルダ・アイコン用画像ｉ１とする。）に対応する静止画像を表す画像データがハードディスク10から読み出される。読み出された画像データによって表される静止画像Ｉ１が小ウインドウＷ12内に表示される（ステップ33）。
【００３９】
ポインタＰがフォルダ・アイコンＦ４から離れるとフォルダ・アイコンＦ４の指定が解除されたこととなり（ステップ34でＹＥＳ），再びフォルダ・アイコンＦ４上においてフォルダ・アイコン用画像のスライド・ショーが始まる。小ウインドウＷ12には，以前に表示されていた静止画像がそのまま表示されていてもよいし，表示されないようにしてもよい。
【００４０】
上述した実施例においては，ポインタＰがフォルダ・アイコンに近づく（たとえば，フォルダ・アイコン上にポインタＰがある）と，対応する静止画像が小ウインドウＷ12に表示されているが，ポインタＰがフォルダ・アイコン上にあり，かつマウス６によりクリックされたときに，対応する静止画像が小ウインドウＷ12に表示されるようにしてもよい。
【００４１】
図９から図11は，さらに他の変形例を示すものである。図９および図10は，スライド・ショーの処理手順を示すフローチャートの一部を示すものであり，図５または図７に示す処理と同一の処理については同一符号を付して説明を省略する。図11は，表示装置１の表示画面に表示されるウインドウの一例である。
【００４２】
上述した実施例においては，スライド・ショーは撮影日時順に行われるものであるが，次に述べる変形例は，静止画像が表示された回数順にスライド・ショーが行われるものである。上述のようにしてポインタＰによってフォルダ・アイコンが指定され，静止画像が小ウインドウＷ２に表示された回数が計数される。この計数はコンピュータ１によって行われ，その計数値を表すデータはハードディスク10に，画像ファイルと対応したテーブルとして格納される。
【００４３】
ハードディスク10の所定の領域に格納されている表示回数を表すデータが見つけられる（ステップ24Ａ）。すると，表示回数の多い順（少ない順でもよい）に，画像ファイルがソーティングされる（ステップ25Ａ）。フォルダ・アイコン用画像がフォルダ・アイコン上において表示回数の多い順にスライド・ショーが行われることとなる（または表示回数の少ない順にスライド・ショーが行われる）（ステップ27）。
【００４４】
上述のようにポインタＰによってフォルダ・アイコンが指定されると（ステップ31でＹＥＳ），指定されたフォルダ・アイコンのスライド・ショーが停止させられ（ステップ35），指定されたフォルダ・アイコン上に表示されているフォルダ・アイコン用画像に対応する静止画像の表示回数がインクレメントされる（ステップ35）。また，小ウインドウＷ12には指定されたフォルダ・アイコン用画像に対応する静止画像Ｉ１が表示されるととも表示回数も表示される。表示回数が一見して分かる。もったも，表示回数は必ずしも表示されなくともよい。表示回数のインクレメントに対応して表示回数テーブルも更新されるのはいうまでもない。
【図面の簡単な説明】
【００４５】
【図１】コンピュータ装置の電気的構成を示すブロック図である。
【図２】ディレクトリ構成の一部を示している。
【図３】フォルダに格納されている画像ファイルによって表される静止画像を示している。
【図４】スライド・ショーが行われる様子を示している。
【図５】スライド・ショーの処理手順を示すフローチャートである。
【図６】表示装置の表示画面に表示されるウインドウの一例である。
【図７】スライド・ショーの処理手順の一部を示すフローチャートである。
【図８】表示装置の表示画面に表示されるウインドウの一例である。
【図９】スライド・ショーの処理手順の一部を示すフローチャートである。
【図１０】スライド・ショーの処理手順の一部を示すフローチャートである。
【図１１】表示装置の表示画面に表示されるウインドウの一例である。
【符号の説明】
【００４６】
１  表示装置
３  コンピュータ
６  マウス
８  CD-ROMドライブ
９  ＨＤユニット
10  ハードディスク
11  CD-ROM
Ｆ，Ｆ１，Ｆ２，Ｆ３，Ｆ４  フォルダ（フォルダ・アイコン）
Ｉ１，Ｉ２，Ｉ３，Ｉ４  静止画像
ｉ１，ｉ２，ｉ３，ｉ４  フォルダ・アイコン用画像
Ｐ  ポインタ
Ｗ，Ｗ１，Ｗ２，Ｗ３，Ｗ11，Ｗ12  ウインドウ
【図１】
2007035046.tif 000003
【図２】
2007035046.tif 000004
【図３】
2007035046.tif 000005
【図４】
2007035046.tif 000006
【図５】
2007035046.tif 000007
【図６】
2007035046.tif 000008
【図７】
2007035046.tif 000009
【図８】
2007035046.tif 000010
【図９】
2007035046.tif 000011
【図１０】
2007035046.tif 000012
【図１１】
2007035046.tif 000013